(57)【要約】      （修正有）【課題】フィルタの定期的な保守・管理を容易に行えるショーケースを提供する。【解決手段】ショーケースは、ショーケース本体、陳列室、商品を陳列する棚、吸込口、フィルタおよび清掃具を備えている。ショーケース本体は、空気熱交換器を内蔵している。陳列室は、少なくともショーケース本体の前方に向けて開口するようにショーケース本体に設けられている。棚は、陳列室に配置されている。吸込口は、棚の下方に位置するように陳列室の底に設けられている。フィルタは、吸込口から吸い込まれる空気中の異物を捕捉する要素であって、吸込口を覆う第１の位置と、ショーケース本体の前方に引き出される第２の位置と、の間で移動可能に棚に支持されている。清掃具は、棚から第１の位置にあるフィルタの前端部に向けて突出され、フィルタを第１の位置と第２の位置との間で移動させた時に、フィルタに付着した異物をショーケース本体の外に掻き出す。【選択図】図８
2019124426.tif 000002
【特許請求の範囲】
【請求項１】
空気熱交換器を内蔵するショーケース本体と、
前記ショーケース本体に設けられ、少なくとも前記ショーケース本体の前方に向けて開口された陳列室と、
前記陳列室に配置され、商品を陳列する棚と、
前記棚の下方に位置するように前記陳列室の底に設けられ、前記空気熱交換器に供給される空気を吸い込む吸込口と、
前記吸込口を覆う第１の位置と、前記吸込口から離脱するように前記ショーケース本体の前方に引き出される第２の位置と、の間で移動可能に前記棚に支持され、前記吸込口から吸い込まれる空気中の異物を捕捉するフィルタと、
前記棚から前記第１の位置にある前記フィルタの前端部に向けて突出され、前記フィルタを前記第１の位置と前記第２の位置との間で移動させた時に、前記フィルタに付着した前記異物を前記ショーケース本体の外に掻き出す清掃具と、
を具備したショーケース。
【請求項２】
前記フィルタは、多数の通気孔が開口されたフラットな上板を有し、前記清掃具は、前記フィルタの前記上板に摺動可能に接するブラシである請求項１に記載のショーケース。
【請求項３】
前記フィルタは、前記陳列室の前面に露出する端板を有し、当該端板に前記フィルタを前記第１の位置と前記第２の位置との間で移動させる際に手を掛ける把手が設けられた請求項１又は請求項２に記載のショーケース。
【請求項４】
前記フィルタが前記第２の位置に移動された状態では、前記清掃具が前記フィルタの移動方向に沿う後端に位置された請求項１に記載のショーケース。
【請求項５】
前記フィルタが前記第１の位置から前記第２の位置に移動された時に、前記清掃具によって掻き出された前記異物を受けるダスト受けをさらに備え、当該ダスト受けは、前記ショーケース本体の前端に位置されるとともに、前記ショーケース本体の前方に進むに従い下向きに傾斜されたガイド面を有し、前記清掃具によって掻き出された前記異物は、前記ガイド面に沿って前記ショーケース本体の前方に排出される請求項１に記載のショーケース。
【請求項６】
空気熱交換器を内蔵するショーケース本体と、
前記ショーケース本体に設けられ、少なくとも前記ショーケース本体の前方に向けて開口された陳列室と、
前記陳列室内に位置される格納位置と、前記陳列室から前記ショーケース本体の前方に突出される突出位置と、の間で移動可能に前記ショーケース本体に支持され、商品を陳列する棚と、
前記棚の下方に位置するように前記陳列室の底に設けられ、前記空気熱交換器に供給される空気を吸い込む吸込口と、
前記吸込口を覆う第１の位置と、前記吸込口から離脱するように前記ショーケース本体の前方に引き出される第２の位置と、の間で移動可能に前記棚に支持され、前記吸込口から吸い込まれる空気中の異物を捕捉するフィルタと、
前記棚から前記第１の位置にある前記フィルタの前端部に向けて突出され、前記フィルタを前記第１の位置と前記第２の位置との間で移動させた時に、前記フィルタに付着した前記異物を前記ショーケース本体の外に掻き出す清掃具と、
を具備したショーケース。
【請求項７】
前記フィルタは、前記第２の位置に引き出された時に前記棚に引っ掛かるストッパを有し、当該ストッパが前記棚に引っ掛かった状態で前記フィルタを前記ショーケース本体の前方に向けて引き出すことにより、前記棚が前記格納位置から前記突出位置に向けて移動される請求項６に記載のショーケース。
【請求項８】
前記棚が前記フィルタの移動に追従して前記格納位置から前記突出位置に向けて移動可能となる請求項６に記載のショーケース。
【請求項９】
前記格納位置に移動された前記棚に吸着することで、前記棚を前記格納位置に保持する磁石をさらに備え、前記第２の位置に引き出された前記フィルタを介して前記棚を前記ショーケース本体の前方に引き出そうとする力が前記磁石の吸着力を上回った時に、前記棚が前記格納位置から前記突出位置に向けて移動される請求項６又は請求項７に記載のショーケース。
【請求項１０】
前記棚が前記格納位置に保持された状態において、前記清掃具により前記フィルタから掻き出された前記異物を受けるダスト受けをさらに備え、当該ダスト受けは、前記ショーケース本体の前端に位置されるとともに、前記ショーケース本体の前方に進むに従い下向きに傾斜されたガイド面を有し、前記清掃具によって掻き出された前記異物は、前記ガイド面に沿って前記ショーケース本体の前方に排出される請求項６ないし請求項８のいずれか一項に記載のショーケース。
【発明の詳細な説明】
【技術分野】
【０００１】
本発明の実施形態は、吸込口を覆うフィルタに付着した異物を除去する清掃具を備えたショーケースに関する。
【背景技術】
【０００２】
例えば、要冷蔵と表示された商品を陳列するオープンタイプのショーケースでは、陳列室に対する外気温の影響を避けるために、陳列室の正面開口部にエアーカーテンが設置されている。
【０００３】
エアーカーテンは、陳列室の正面開口部を覆うように陳列室の上端から陳列室の底に向けて吹き出す空気流により形成され、当該空気流は、陳列室の底に開口された吸込口に吸い込まれるようになっている。
【０００４】
吸込口は、空気中に含まれる塵埃等の異物を捕捉するフィルタで覆われている。フィルタは、目詰まりを起こすことがないように定期的に清掃する必要がある。そのため、従来のショーケースでは、フィルタがショーケースに取り外し可能に支持されている。
【先行技術文献】
【特許文献】
【０００５】
【特許文献１】特開２０１５−３６０３７号公報
【発明の概要】
【発明が解決しようとする課題】
【０００６】
従来のショーケースによると、フィルタを清掃する度にフィルタをショーケースから取り外した後、取り外したフィルタを水洗いしたり、掃除機を用いてフィルタに付着した異物を取り除かなくてはならない。
【０００７】
このため、フィルタをわざわざ取り外して清掃する人為的な作業が発生し、当該フィルタを清掃する際に多大な手間と労力を要する。この結果、フィルタの清掃がつい面倒となり、フィルタが汚れているにも拘らず、そのまま放置されることがあり得る。
【０００８】
本発明の目的は、フィルタをショーケース本体から取り外すことなく簡単に清掃することができ、フィルタの定期的な保守・管理を容易に行うことができるショーケースを得ることにある。
【課題を解決するための手段】
【０００９】
実施形態によれば、ショーケースは、ショーケース本体、陳列室、商品を陳列する棚、吸込口、フィルタおよび清掃具を主要な要素として備えている。
【００１０】
前記ショーケース本体は、空気熱交換器を内蔵している。前記陳列室は、少なくとも前記ショーケース本体の前方に向けて開口するように前記ショーケース本体に設けられている。前記棚は、前記陳列室に配置されている。前記吸込口は、前記空気熱交換器に供給される空気を吸い込むための要素であって、前記棚の下方に位置するように前記陳列室の底に設けられている。前記フィルタは、前記吸込口から吸い込まれる空気中の異物を捕捉する要素であって、前記吸込口を覆う第１の位置と、前記吸込口から離脱するように前記ショーケース本体の前方に引き出される第２の位置と、の間で移動可能に前記棚に支持されている。前記清掃具は、前記棚から前記第１の位置にある前記フィルタの前端部に向けて突出され、前記フィルタを前記第１の位置と前記第２の位置との間で移動させた時に、前記フィルタに付着した前記異物を前記ショーケース本体の外に掻き出す。
【図面の簡単な説明】
【００１１】
【図１】第１の実施形態に係るショーケースの概略を示す正面図である。
【図２】第１の実施形態に係るショーケースの構成を概略的に示す断面図である。
【図３】格納位置にスライドされた最下段の商品棚と、第１の位置にスライドされたフィルタとの相対的な位置関係を示すショーケースの断面図である。
【図４】格納位置にスライドされた最下段の商品棚と、第１の位置にスライドされたフィルタとの相対的な位置関係を示すショーケースの斜視図である。
【図５】把手を有するフィルタの平面図である。
【図６】図５のＦ６−Ｆ６線に沿う断面図である。
【図７】第１の位置にスライドされたフィルタと、ダスト受けとの相対的な位置関係を示すショーケースの斜視図である。
【図８】フィルタに付着した異物を清掃ブラシで掻き出した状態を示すショーケースの断面図である。
【図９】フィルタを第２の位置にスライドさせた状態を示すショーケースの斜視図である。
【図１０】最下段の商品棚を格納位置から突出位置に向けて引き出した状態を示すショーケースの断面図である。
【図１１】第２の実施形態において、最下段の商品棚の可動棚部を水平位置に回動させた状態を示すショーケースの断面図である。
【図１２】最下段の商品棚の可動棚部を起立位置に回動させた状態を示すショーケースの断面図である。
【図１３】第３の実施形態において、最下段の商品棚の可動棚部を水平位置に回動させた状態を示すショーケースの断面図である。
【図１４】最下段の商品棚の可動棚部を起立位置に回動させた状態を示すショーケースの断面図である。
【図１５】図１３のＦ１５−Ｆ１５線に沿う断面図である。
【発明を実施するための形態】
【００１２】
[第１の実施形態]
以下、第１の実施形態について、図１ないし図１０を参照して説明する。
【００１３】
図１は、オープンタイプのショーケース１の外観を概略的に示す正面図、図２は、オープンタイプのショーケース１の構成を概略的に示す断面図である。図１および図２に示すように、ショーケース１は、ショーケース本体１Ａを備えている。ショーケース本体１Ａは、例えばコンビニエンスストアのような店舗の床Ｆの上に据え付けられている。
【００１４】
ショーケース本体１Ａは、天板２、底板３、背板４、左右の側板５ａ，５ｂ、配管室６および陳列室７を主要な要素として備えている。天板２は、ショーケース本体１Ａの最上部に位置されている。底板３は、ショーケース本体１Ａの底部に位置されている。天板２および底板３は、ショーケース本体１Ａの幅方向および奥行方向に沿って略水平に延びている。ショーケース本体１Ａを側方から見た時に、底板３の前端は、天板２の前端よりもショーケース本体１Ａの前方に張り出している。
【００１５】
背板４は、天板２の後端と底板３の後端との間を結ぶようにショーケース本体１Ａの高さ方向に沿って起立している。側板５ａ，５ｂは、天板２の側縁と底板３の側縁との間を結ぶようにショーケース本体１Ａの高さ方向に沿って起立するとともに、ショーケース本体１Ａの幅方向に互いに間隔を存して向かい合っている。そのため、本実施形態のショーケース本体１Ａは、ショーケース１の前方に向けて開放された縦長の箱状に形成されている。
【００１６】
配管室６は、ショーケース本体１Ａの最下部に位置され、ショーケース本体１Ａの底板３と店舗の床Ｆとの間に配管スペースを規定している。
【００１７】
陳列室７は、ショーケース本体１Ａの天板２と底板３との間に位置されている。陳列室７は、天井パネル８、背面パネル９、底面パネル１０およびショーケース本体１Ａの側板５ａ，５ｂで囲まれた領域で規定されている。そのため、陳列室７は、ショーケース本体１Ａの前方に向けて開放された正面開口部１１を有する一面開放形となっている。
【００１８】
陳列室７は、一面開放形に制約されるものではない。例えば、ショーケース本体１Ａの側板５ａ，５ｂを省略したり、あるいは側板５ａ，５ｂのうち陳列室７に臨む部位をカットすることで、ショーケース本体１Ａの前方、左側方および右側方に連続して開放された、いわゆる三面開放形の陳列室７としてもよい。
【００１９】
図１および図２に示すように、複数の商品棚１３が陳列室７に配置されている。商品棚１３は、例えばボトル入り飲料あるいは牛乳パックのような冷蔵を要する商品Ｇを陳列するための要素であって、陳列室７の高さ方向に互いに間隔を存して配列されている。
【００２０】
本実施形態によると、各商品棚１３は、その幅方向に沿う両端部が夫々スライドレール１４を介して背面パネル９に支持されている。各商品棚１３は、陳列室７に格納される格納位置と、陳列室７の正面開口部１１からショーケース本体１Ａの前方に突出される突出位置との間でショーケース本体１Ａの奥行方向にスライド可能となっている。
【００２１】
商品棚１３を格納位置から突出位置にスライドさせることで、例えば商品Ｇの補充、商品Ｇの賞味期限の確認ならびに商品棚１３の清掃を行うことができる。
【００２２】
図２に示すように、陳列室７の天井パネル８は、ショーケース本体１Ａの天板２との間に第１のダクト部１６を規定している。第１のダクト部１６は、陳列室７の上でショーケース本体１Ａの幅方向および奥行方向に沿って水平に配置されている。
【００２３】
陳列室７の背面パネル９は、ショーケース本体１Ａの背板４の直前に位置されている。背面パネル９は、陳列室７の上端から下方に進むに従い陳列室７の前方に進出するように僅かに傾いている。
【００２４】
さらに、背面パネル９は、ショーケース本体１Ａの背板４との間に第２のダクト部１７を規定している。第２のダクト部１７は、陳列室７の背後でショーケース本体１Ａの高さ方向に起立されている。第２のダクト部１７の上端は、第１のダクト部１６の後端に接続されている。
【００２５】
陳列室７の底面パネル１０は、天井パネル８よりもショーケース本体１Ａの前方に向けて張り出している。底面パネル１０は、ショーケース本体１Ａの底板３との間に吸い込み通路１８を規定している。
【００２６】
吸い込み通路１８は、陳列室７の下でショーケース本体１Ａの幅方向および奥行方向に沿って水平に配置されている。吸い込み通路１８の後端は、第２のダクト部１７の下端に接続されている。したがって、吸い込み通路１８は、第２のダクト部１７を介して第１のダクト部１６に連通されている。
【００２７】
図２に示すように、複数の冷気出口２０が陳列室７の背面パネル９に形成されている。冷気出口２０は、第２のダクト部１７に連通されているとともに、隣り合う商品棚１３の間に位置するように陳列室７に開口されている。
【００２８】
吹出口２１が天井パネル８の前端部に設けられている。吹出口２１は、陳列室７の正面開口部１１にエアーカーテンＡを形成するための要素であって、陳列室７の底面パネル１０の前端部を指向するように下向きに開口されている。さらに、吹出口２１は、陳列室７の全幅に亘るように水平に配置されているとともに、第１のダクト部１６に連通されている。
【００２９】
図２および図３に示すように、吸込口２２が底面パネル１０の前端部に形成されている。吸込口２２は、陳列室７の正面開口部１１の下端に位置されている。吸込口２２は、陳列室７の全幅に亘るように水平に配置されているとともに、ショーケース本体１Ａの吸い込み通路１８に連通されている。
【００３０】
蒸発器２４および送風機２５が第２のダクト部１７の下端部に配置されている。蒸発器２４は、空気熱交換器の一例であって、圧縮機、凝縮器および膨張弁を収容した室外ユニット（図示せず）に接続されている。蒸発器２４は、室外ユニットと協働して冷媒が循環する冷凍サイクルを構成している。
【００３１】
送風機２５は、蒸発器２４に空気を送風する冷気循環用の要素であって、蒸発器２４と吸込口２２との間に位置されている。送風機２５が運転を開始すると、図２に矢印で示すように、空気が吸込口２２から吸い込み通路１８に吸い込まれる。吸い込み通路１８に吸い込まれた空気は、蒸発器２４に導かれる。
【００３２】
蒸発器２４を通過する過程で冷媒と熱交換された空気は、冷風となって第２のダクト部１７を上昇する。上昇する冷風の一部は、冷気出口２０から陳列室７に吹き出す。したがって、陳列室７の温度が低下するとともに、商品棚１３の上に置かれた商品Ｇが冷やされる。
【００３３】
一方、第２のダクト部１７から第１のダクト部１６に流入した冷風の主流は、吹出口２１から下向きに吹き出す。これにより、陳列室７の正面開口部１１の上端から吹き下ろす空気層が形成される。空気層は、正面開口部１１を覆うエアーカーテンＡとなり、当該エアーカーテンＡによって陳列室７に対する空気の出入りが遮断される。
【００３４】
冷気出口２０から陳列室７に吹き出した冷風およびエアーカーテンＡを形成する冷風は、互いに混ざり合うとともに、陳列室７の底の吸込口２２から吸い込み通路１８に吸い込まれる。吸い込み通路１８に吸い込まれた冷風は、送風機２５を介して蒸発器２４に導かれるとともに、再び第２のダクト部１７に送り込まれる。
【００３５】
図２および図３に示すように、複数の商品棚１３のうち最も下段の商品棚１３ａは、陳列室７の底面パネル１０の上に前記スライドレール１４を介して支持されている。
【００３６】
具体的に述べると、図３および図４は、格納位置にスライドされた最下段の商品棚１３ａと吸込口２２との位置関係を示している。図３および図４に示すように、商品棚１３ａは、商品Ｇが置かれる床板３０ａと、床板３０ａの左右の側縁から立ち上がる起立部３０ｂ，３０ｃと、を備えている。
【００３７】
最下段の商品棚１３ａを支持するスライドレール１４は、床板３０ａの左端部および右端部の下に位置されるとともに、夫々ブラケット３３を介して底面パネル１０に固定されている。
スライドレール１４は、陳列室７の奥行方向に水平に配置されている。さらに、スライドレール１４は、陳列室７の奥行方向にスライド可能な可動レール部を有し、可動レール部は、陳列室７からショーケース本体１Ａの前方に向けて引き出せるようになっている。
【００３８】
床板３０ａの左端部に位置されたスライドレール１４の可動レール部と、床板３０ａの右端部に位置されたスライドレール１４の可動レール部との間に第１ないし第３の棚支持板３５ａ，３５ｂ，３５ｃが架け渡されている。第１ないし第３の棚支持板３５ａ，３５ｂ，３５ｃは、陳列室７の幅方向に水平に延びているとともに、当該陳列室７の奥行方向に互いに間隔を存して配列されている。
【００３９】
最下段の商品棚１３ａの床板３０ａは、第１ないし第３の棚支持板３５ａ，３５ｂ，３５ｃの上に固定されている。そのため、商品棚１３ａは、第１ないし第３の棚支持板３５ａ，３５ｂ，３５ｃを介してスライドレール１４の可動レール部に連結されている。これにより、商品棚１３ａは、陳列室７に押し込まれる格納位置と、陳列室７からショーケース本体１Ａの前方に引き出される突出位置との間でスライド可能となっている。
【００４０】
図３に示すように、鉄製の吸着板３６がスライドレール１４の可動レール部の後端に取り付けられている。吸着板３６は、陳列室７の正面開口部１１の反対側に位置し、商品棚１３ａが格納位置にスライドされた時に磁石３７に突き当たる。磁石３７は、陳列室７の底面パネル１０から起立する磁石ホルダ３８に支持されている。
【００４１】
商品棚１３ａが図３に示す格納位置にスライドされた状態では、吸着板３６が磁石３７に吸着され、スライドレール１４の可動レール部の自由なスライドが制限されている。これにより、商品棚１３ａが陳列室７内の格納位置に保持されている。さらに、商品棚１３ａが格納位置に保持された状態では、商品棚１３ａの床板３０ａの前端部が吸込口２２の後半部の上に張り出している。
【００４２】
図３に示すように、一対のフィルタブラケット４０（一方のみを図示）が商品棚１３ａの前端部に設けられている。フィルタブラケット４０は、中空の四角い箱形の要素であって、第１ないし第３の棚支持板３５ａ，３５ｂ，３５ｃのうち、陳列室７の正面開口部１１の側に位置された第１の棚支持部３５ａの前端部の下面に例えば溶接等の手段により固定されている。フィルタブラケット４０は、商品棚１３ａの幅方向に互いに離れている。
【００４３】
さらに、フィルタブラケット４０は、前面パネル４０ａおよび背面パネル４０ｂを有している。前面パネル４０ａは、陳列室７の正面開口部１１に面するように、商品棚１３ａの床板３０ａから下向きに突出されている。後面パネル４０ｂは、前面パネル４０ａの背後に位置するとともに、商品棚１３ａの床板３０ａから下向きに突出されている。
【００４４】
図３ないし図６に示すように、最下段の商品棚１３ａには、吸込口２２に吸い込まれる空気中に含まれる塵埃等の異物ｄを捕捉するフィルタ４１が組み込まれている。フィルタ４１は、例えば金属板を扁平な四角い筒状に折り曲げることで構成され、ショーケース本体１Ａの幅方向に沿って水平に延びている。フィルタ４１は、筒形の形状を維持し得るような十分な剛性を有している。言い換えると、フィルタ４１は、例えば柔軟なネット状のフィルタよりも遥かに硬質の要素であって、外力が作用しても変形し難い特性を有している。
【００４５】
図５および図６に最もよく示されるように、フィルタ４１は、フラットな上板４４と、上板４４の前端に位置された第１の端板４５と、上板４４の後端に位置された第２の端板４６と、を備えている。第１の端板４５および第２の端板４６は、商品棚１３ａの奥行方向に向かい合うように起立されている。
さらに、フィルタ４１の上板４４は、多数の通気孔４７を有している。通気孔４７は、上板４４の周縁部で囲まれた領域に全面的に形成されている。したがって、フィルタ４１の上板４４は、空気中の塵埃等の異物ｄを捕捉し得るような通気性を有している。
【００４６】
図５に示すように、一対のスライドガイド４８ａ，４８ｂがフィルタ４１に取り付けられている。スライドガイド４８ａ，４８ｂは、例えば直径が５mm程度の丸棒を折り曲げることで構成されている。各スライドガイド４８ａ，４８ｂは、一対のガイドレール部４９ａ，４９ｂと、ガイドレール部４９ａ，４９ｂの一端の間に跨る連結部５０と、を備えている。
【００４７】
ガイドレール部４９ａ，４９ｂは、互いに間隔を存して平行に配置されている。ガイドレール部４９ａ，４９ｂは、フィルタ４１の上板４４の下方を通して第１の端板４５と第２の端板４６との間に跨っている。ガイドレール部４９ａ，４９ｂのうち第１の端板４５および第２の端板４６を貫通する部分の外周面は、第１の端板４５および第２の端板４６に溶接されている。そのため、スライドガイド４８ａ，４８ｂは、フィルタ４１と一体化されている。
【００４８】
ガイドレール部４９ａ，４９ｂの後半部は、フィルタ４１の背後に突出されている。さらに、ガイドレール部４９ａ，４９ｂの前端部は、フィルタ４１の前方に突出されている。ガイドレール部４９ａ，４９ｂの一端の間に跨る連結部５０は、第１の端板４５と平行に配置されている。
【００４９】
連結部５０と第１の端板４５との間には、作業者が手指を挿入するに十分な隙間が確保されている。したがって、ガイドレール部４９ａ，４９ｂの前端部および連結部５０は、互いに協働して作業者が手を掛ける把手５１を規定している。
【００５０】
図３および図５に示すように、フィルタ４１の背後に突出されたガイドレール部４９ａ，４９ｂの後半部は、フィルタブラケット４０の前面パネル４０ａおよび後面パネル４０ｂを陳列室７の奥行方向にスライド可能に貫通している。このため、フィルタ４１は、スライドガイド４８ａ，４８ｂを介して最下段の商品棚１３ａの前端部に支持されている。
【００５１】
加えて、フィルタ４１は、商品棚１３ａが格納位置にある時に、当該商品棚１３ａに対し第１の位置Ｐ１と第２の位置Ｐ２との間でスライド可能となっている。図３および図７は、フィルタ４１が第１の位置Ｐ１にスライドされた状態を開示している。第１の位置Ｐ１では、フィルタ４１は、吸込口２２の前半部を覆うように吸込口２２の真上に位置されている。吸込口２２の後半部は、商品棚１３ａによって上方から覆われている。
【００５２】
フィルタ４１が第１の位置Ｐ１にスライドされた状態では、フィルタ４１の第１の端板４５および把手５１が陳列室７の正面開口部１１の下端からショーケース本体１Ａの前方に露出されている。さらに、フィルタ４１の第２の端板４６がフィルタブラケット４０の前面パネル４０ａに突き当てられている。
【００５３】
図８および図９は、フィルタ４１が第１の位置Ｐ１から第２の位置Ｐ２にスライドされた状態を開示している。第２の位置Ｐ２では、フィルタ４１は、吸込口２２から離脱するようにショーケース本体１Ａの前方に引き出されている。
【００５４】
フィルタ４１が第２の位置Ｐ２にスライドされた状態では、フィルタ４１の後端部が陳列室７の底面パネル１０の前端部の真上に位置されている。それとともに、ガイドレール部４９ａ，４９ｂの後端部に取り付けたストッパとしてのＥリング５２がフィルタブラケット４０の背面パネル４０ｂに突き当たっている。これにより、フィルタ４１が商品棚１３ａから脱落することなく第２の位置Ｐ２に保持されている。
【００５５】
加えて、第２の位置Ｐ２では、Ｅリング５２がフィルタブラケット４０の背面パネル４０ｂに突き当たるので、第２の位置Ｐ２にスライドされたフィルタ４１をさらにショーケース本体１Ａの前方に引き出すと、当該フィルタ４１の動きがフィルタブラケット４０を介して商品棚１３ａに伝わる。
【００５６】
この結果、フィルタ４１を第２の位置Ｐ２から引き出そうとする力が磁石３７の吸着力を上回った時に、格納位置にある商品棚１３ａを突出位置に向けてスライドさせることができる。図１０は、フィルタ４１をショーケース本体１Ａの前方に引き出すことで、商品棚１３ａが格納位置から突出位置に引き出される過程を開示している。
【００５７】
本実施形態によると、商品棚１３ａを格納位置に保持する磁石３７の吸着力は、作業者がフィルタ４１を第１の位置Ｐ１から第２の位置Ｐ２にスライドさせる際の引出力も大きくなるように設定されている。そのため、フィルタ４１が第２の位置Ｐ２に到達した時点で、フィルタ４１の動きが拘束され、作業者はフィルタ４１が第２の位置Ｐ２に達したことを容易に知ることができる。
【００５８】
図３および図４に示すように、第１ないし第３の棚支持板３５ａ，３５ｂ，３５ｃのうち、陳列室７の前端の側に位置する第１の棚支持板３５ａは、フィルタカバー５４を有している。フィルタカバー５４は、商品棚１３ａの前端から陳列室７の正面開口部１１に向けて水平に張り出すとともに、陳列室７の全幅に亘って水平に延びている。
【００５９】
フィルタカバー５４は、商品棚１３ａが格納位置にあり、かつフィルタ４１が第１の位置Ｐ１にある時に、フィルタ４１を上方から覆っている。フィルタカバー５４は、空気の流通を許容する複数のスリット５５を有している。
【００６０】
導風用のガイド板５６がフィルタカバー５４の前端部に取り付けられている。ガイド板５６は、吹出口２１から下向きに吹き出す冷風を吸込口２２に案内するための要素であって、フィルタカバー５４の前端部から起立されている。
【００６１】
図３に示すように、商品棚１３ａには、フィルタ４１に付着した異物ｄを取り除く清掃ブラシ６１が一体的に組み込まれている。清掃ブラシ６１は、清掃具の一例であって、例えばポリ塩化ビニルあるいはナイロン（商品名）のような高強度で耐候性に優れた合成樹脂材料で形成されている。
【００６２】
清掃ブラシ６１は、フィルタカバー５４の前端部の下面にブラケット６２を介して固定されている。清掃ブラシ６１は、陳列室７の全幅に亘るように、フィルタカバー５４の前端部の下面からフィルタ４１の上板４４に向けて下向きに突出されている。図３に示すように、フィルタ４１が第１の位置Ｐ１にスライドされた状態では、清掃ブラシ６１の先端がフィルタ４１の上板４４の前端部に接している。
【００６３】
図３、図４および図８に示すように、ダスト受け６３が陳列室７の底となる底面パネル１０の前端部に固定されている。ダスト受け６３は、陳列室７の全幅に亘るように吸込口２２の直前に位置するとともに、清掃ブラシ６１の真下に位置されている。
【００６４】
ダスト受け６３は、ガイド面６４を有している。ガイド面６４は、ショーケース本体１Ａの前方に進むに従い下向きに傾斜されている。ガイド面６４の前端は、清掃ブラシ６１および底面パネル１０よりもショーケース本体１Ａの前方に張り出している。ガイド面６４の後端は、清掃ブラシ６１よりも吸込口２２の方向に張り出している。言い換えると、清掃ブラシ６１の下端は、ガイド面６４の中間部の真上に位置されている。
【００６５】
図２に示すように、ショーケース本体１Ａの底板３は、吸い込み通路１８の前端から僅かに後方にずれた位置が最も低くなるように傾斜されている。底板３の後端部は、蒸発器２４から滴下する結露水を受け止めるように蒸発器２４の下方に位置されている。結露水は、ドレン水となって底板３の前端部に位置する最低部に向けて流れる。
【００６６】
底板３の最低部に排水口６５が形成されている。排水口６５は、例えばショーケース本体１Ａの幅方向に沿う中央部において、吸込口２２の下方に位置されている。排水口６５は、目皿６６で覆われている。目皿６６は、ドレン水に含まれる異物を捕捉する要素であって、排水口６５に取り外し可能に設置されている。
【００６７】
さらに、排水口６５は、排水トラップ６７を介して排水管６８に接続されている。排水トラップ６７および排水管６８は、ショーケース本体１Ａの配管室６に収容されている。
【００６８】
次に、フィルタ４１を清掃する手順について説明する。
【００６９】
陳列室７に陳列された商品Ｇに冷気が供給されている状態では、送風機２５の運転に伴って冷気を含む空気が吸込口２２から吸い込み通路１８に吸い込まれる。本実施形態によると、図３に示すように商品棚１３ａが格納位置にあり、かつフィルタ４１が第１の位置Ｐ１にある限り、フィルタ４１が吸込口２２の前半部とフィルタカバー５４との間に入り込んでいる。このため、吸込口２２に向かう空気がフィルタカバー５４のスリット５５およびフィルタ４１の上板４４の通気孔４７を通過する。
【００７０】
これにより、空気中に含まれる塵埃等の異物ｄがフィルタ４１によって捕捉される。捕捉された異物ｄは、時間の経過に伴ってフィルタ４１の上板４４の上に徐々に堆積するので、定期的にフィルタ４１を清掃して異物ｄを取り除く必要がある。
【００７１】
フィルタ４１を清掃するには、まず作業者がショーケース本体１Ａの前方に露出されたフィルタ４１の把手５１を手指で握り、把手５１をショーケース本体１Ａの前方に向けて引っ張る。これにより、図８および図９に示すように、フィルタ４１が第１の位置Ｐ１から第２の位置Ｐ２に向けてスライドし、当該フィルタ４１がフィルタカバー５４の前方に引き出される。
【００７２】
本実施形態によると、フィルタカバー５４の前端部にフィルタ４１に向けて下向きに突出する清掃ブラシ６１が固定され、当該清掃ブラシ６１の先端がフィルタ４１の上板４４の前端部に摺動可能に接している。このため、フィルタ４１が第１の位置Ｐ１から第２の位置Ｐ２に向けてスライドされると、清掃ブラシ６１の先端が上板４４の上面に沿って上板４４の前端から後端に向けて摺動する。
【００７３】
この結果、上板４４の上面に堆積した異物ｄが清掃ブラシ６１によって強制的に掻き取られる。掻き取られた異物ｄは、フィルタ４１のスライドに伴って上板４４の後端部に集められるとともに、フィルタ４１が第２の位置Ｐ２に達した時点で上板４４の後端部から掃き出される。
【００７４】
図８は、異物ｄが上板４４の後端部から掃き出された状態を開示している。掃き出された異物ｄは、フィルタ４１の後端から落下するとともに、ダスト受け６３のガイド面６４が落下する異物ｄを受け止める。ガイド面６４は、ショーケース本体１Ａの前方に進むに従い下向きに傾斜されているとともに、ガイド面６４の前端が底面パネル１０よりもショーケース本体１Ａの前方に張り出している。
【００７５】
このため、ダスト受け６３のガイド面６４で受け止められた異物ｄは、ガイド面６４に沿って滑り落ち、ショーケース１が設置された床Ｆの上に排出される。
【００７６】
第２の位置Ｐ２にスライドされたフィルタ４１を第１の位置Ｐ１に向けてスライドさせると、清掃ブラシ６１の先端がフィルタ４１の上板４４の上面に沿って摺動し、やがてフィルタ４１の前端部に復帰する。そのため、フィルタ４１の汚れ具合に応じてフィルタ４１を第１の位置Ｐ１と第２の位置Ｐ２との間で繰り返しスライドさせることで、上板４４に付着した異物ｄを除去してショーケース本体１Ａの外に掻き出すことができる。
【００７７】
一方、例えば商品棚１３ａに商品Ｇを補充する際には、まず最初にフィルタ４１を第１の位置Ｐ１から第２の位置Ｐ１にスライドさせる。フィルタ４１が第２の位置Ｐ２に達すると、ストッパとしてのＥリング５２が商品棚１３ａと一体化されたフィルタブラケット４０の背面４０ｂに突き当たる。これにより、フィルタ４１と商品棚１３ａとが互いに連結され、商品棚１３ａがフィルタ４１に追従してスライド可能な状態に移行する。
【００７８】
この際、商品棚１３ａは、磁石３７に吸着されることで格納位置に保持され、しかも、磁石３７の吸着力は、通常、作業者がフィルタ４１を第１の位置Ｐ１から第２の位置Ｐ２に引き出す際の引出力も大きく設定されている。
【００７９】
そのため、フィルタ４１が第２の位置Ｐ２に達すると、フィルタＰ２の動きが一旦止まるので、作業者は磁石３７の吸着力を上回る力で再度把手５１を介してフィルタ４１をショーケース本体１Ａの前方に向けて引き出す。
【００８０】
この結果、商品棚１３ａがフィルタ４１と一緒にショーケース本体１Ａの前方に向けて移動を開始し、やがて突出位置に到達する。これにより、商品棚１３ａが陳列室７の前方に大きく引き出され、商品棚１３ａの上に商品Ｇを補充する作業を容易に行うことができる。
【００８１】
第１の実施形態によれば、吸込口２２に吸い込まれる空気を濾過するフィルタ４１が、第１の位置Ｐ１と第２の位置Ｐ２との間でスライド可能に商品棚１３ａに支持され、商品棚１３ａの側に清掃ブラシ６１が固定されている。そのため、フィルタ４１を第１の位置Ｐ１と第２の位置Ｐ２との間でスライドさせると、清掃ブラシ６１によってフィルタ４１の上板４４の上に付着した異物ｄがショーケース本体１Ａの外に掻き出される。
【００８２】
したがって、フィルタ４１を清掃する度に、フィルタ４１をショーケース本体１Ａから取り出したり、取り出したフィルタ４１をいちいち手洗いする必要はない。よって、フィルタ４１の清掃に手間を要さず、フィルタ４１の定期的な保守・管理を容易に行うことができる。
【００８３】
加えて、清掃ブラシ６１は、フィルタ４１が第１の位置Ｐ１にある時に、フィルタ４１の前端部に位置するので、清掃ブラシ６１で掻き取られた異物ｄは、フィルタ４１のスライドに伴って上板４４の後端部の上に次第に掻き集める。掻き集められた異物ｄは、フィルタ４１が第２の位置Ｐ２に達した時点でフィルタ４１の後端から落下する。
【００８４】
このため、フィルタ４１がスライドされる過程で異物ｄがフィルタ４１から脱落するのを回避でき、掻き出された異物ｄがフィルタ４１の周囲に飛散するのを防止できる。
【００８５】
それとともに、フィルタ４１が第２の位置Ｐ２にスライドされた時点では、清掃ブラシ６１は、フィルタ４１の後端に位置されている。このため、フィルタ４１を第２の位置Ｐ２から第１の位置Ｐ１に戻す際に、たとえ清掃ブラシ６１で除去しきれなかった異物ｄが上板４４の上に残っていたとしても、残った異物ｄは、清掃ブラシ６１によって上板４４の前端部の側に押し戻される。
【００８６】
言い換えると、フィルタ４１を第２の位置Ｐ２から第１の位置Ｐ１に戻す時に、上板４４の上に残った異物ｄがショーケース本体１Ａの吸込口２２の方向に追い遣られるのを回避できる。
【００８７】
さらに、清掃ブラシ６１でフィルタ４１から掻き出された異物ｄは、ダスト受け６３のガイド面６４の上に落下するとともに、当該ガイド面６４の傾斜に応じてショーケース本体１Ａの前方の床Ｆの上に排出される。
【００８８】
したがって、清掃ブラシ６１によってフィルタ４１から掻き出された異物ｄをわざわざ集めて捨てるといった面倒な作業から解放され、フィルタ４１を清掃する際の作業性が向上する。
【００８９】
本実施形態では、第１の位置Ｐ１から第２の位置Ｐ２に引き出されたフィルタ４１をさらにショーケース本体１Ａの前方に引き出すことで、商品棚１３ａが格納位置から突出位置にスライドされる。すなわち、商品棚１３ａを格納位置から突出位置にスライドさせるに当たっては、必ずフィルタ４１を第１の位置Ｐ１から第２の位置Ｐ２にスライドさせる必要があり、商品棚１３ａに商品Ｇを補充する度にフィルタ４１が清掃ブラシ６１によって清掃される。
【００９０】
商品棚１３ａに商品Ｇを補充する作業は日常的に行われるので、フィルタ４１を清掃する頻度が高まる。それとともに、フィルタ４１の清掃作業が無意識のうちに自動的に実行されることになり、フィルタ４１の汚損を確実に防止することができる。
【００９１】
さらに、フィルタ４１は、柔軟なネット状のフィルタよりも遥かに硬質であり、外力が作用しても変形し難い特性を有している。これにより、清掃ブラシ６１の先端が上板４４の上面に押し付けられても、上板４４が撓むことはなく、当該清掃ブラシ６１で上板４４の上面に付着した異物ｄを効率よく掻き出すことができる。
【００９２】
第１の実施形態において、例えばスプリングを用いてフィルタ４１を第２の位置Ｐ２から第１の位置Ｐ１に向けて弾性的に付勢するようにしてもよい。このようにすれば、フィルタ４１が第２の位置Ｐ２にスライドされた状態において、作業者が把手５１から手を放せば、フィルタ４１が自動的に第１の位置Ｐ１に復帰する。
【００９３】
このため、フィルタ４１を清掃した後は、フィルタ４１が必ず第１の位置Ｐ１に保持され、フィルタ４１がショーケース本体１Ａの前方に引き出されたままの状態に放置されるのを回避できる。
【００９４】
さらに、フィルタ４１は金属製に限らず、例えば撓み難い特性を有する硬質な合成樹脂材料で形成してもよい。
【００９５】
加えて、例えば柔軟なネット状の材料でフィルタを形成した場合、フィルタの下方に補助ブラシを配置し、当該補助ブラシと清掃ブラシ６１とでフィルタを上下から挟み込むようにしてもよい。
【００９６】
この構成によれば、フィルタの網目に詰まった塵埃等の異物ｄを補助ブラシで押し上げることにより、押し上げられた異物ｄを清掃ブラシ６１で掻き取ることが可能となる。したがって、フィルタは、変形し難い硬質な材料で形成することに限らず、柔軟な材料で形成してもよい。
【００９７】
それとともに、清掃具にしてもブラシに限らず、例えば陳列室の幅方向に細長い帯状のフェルトで形成してもよい。
【００９８】
第１の実施形態では、フィルタ４１を支持する商品棚１３ａを格納位置と突出位置との間でスライド可能としたが、商品棚１３ａは可動式に限らず、ショーケース本体１Ａの陳列室７に固定してもよい。
[第２の実施形態]
図１１および図１２は、第２の実施形態を開示している。第２の実施形態は、フィルタ４１および清掃ブラシ６１が組み込まれた最下段の商品棚１３ａの構成が第１の実施形態と相違している。それ以外のショーケース１の構成は、第１の実施形態と同様である。そのため、第２の実施形態において、第１の実施形態と同一の構成部分には同一の参照符号を付して、その説明を省略する。
【００９９】
図１１および図１２に示すように、商品棚１３ａは、陳列室７の正面開口部１１に臨む可動棚部７１と、可動棚部７１に連続して陳列室７の奥側に位置にする固定棚部７２とに分割されている。可動棚部７１は、商品Ｇが置かれる床板７１ａと、床板７１ａの左右の側縁から立ち上がる起立部７１ｂと、を備えている。床板７１ａは、フィルタカバー５４を有する最前部の第１の棚支持板３５ａで水平に支えられている。本実施形態によると、第１の棚支持板３５ａは、スライドレール１４の可動レール部に連結されることなく、スライドレール１４の間に跨っているに止まっている。
【０１００】
さらに、床板７１ａは、吸込口２２および排水口６５の真上に位置されている。床板７１ａの後縁は、陳列室７の幅方向に沿って真っすぐに延びている。床板７１ａの後縁には、下向きに折り返された係合部７３が一体に形成されている。
【０１０１】
固定棚部７２は、商品Ｇが置かれる床板７２ａと、床板７２ａの左右の側縁から立ち上がり起立部７２ｂと、を備えている。床板７２ａは、第２の棚支持板３５ｂおよび第２の棚支持板３５ｃで水平に支えられている。床板７２ａの前縁は、陳列室７の幅方向に沿って真っすぐに延びている。床板７２ａの前縁には、下向きに折り返されたヒンジ支持部７４が形成されている。
【０１０２】
可動棚部７１の床板７１ａは、例えばトルクヒンジ７６を介して固定棚部７２の床板７２ａに回動可能に連結されている。トルクヒンジ７６は、第１のブラケット７７、第２のブラケット７８およびヒンジ軸７９を主要な要素として備えている。
【０１０３】
第１のブラケット７７は、床板７１ａの後端部の下面に設けたヒンジ受け８０に固定されている。第２のブラケット７８は、床板７２ａの前端部のヒンジ支持部７４に固定されている。第２のブラケット７８は、床板７１ａの後端部の下方に進出するストッパ部８１を有している。ストッパ部８１は、垂直に起立されている。ヒンジ軸７９は、第１のブラケット７７と第２のブラケット７８との間に跨るとともに、陳列室７の幅方向に沿って水平に配置されている。
【０１０４】
第１のブラケット７７および第２のブラケット７８は、ヒンジ軸７９の軸回り方向に相対的に回動可能であり、当該回動時に一定のブレーキ力が発生するようになっている。これにより、第１のブラケット７７および第２のブラケット７８が任意の回動角度に保持される。
【０１０５】
商品棚１３ａの可動棚部７１は、トルクヒンジ７６のヒンジ軸７９を中心に水平位置Ｐ３と起立位置Ｐ４との間で回動可能となっている。図１１は、商品棚１３ａの可動棚部７１が水平位置Ｐ３に回動された状態を開示している。水平位置Ｐ３では、可動棚部７１の床板７１ａが固定棚部７２の床板７２ａに連続するように水平に保持されるとともに、可動棚部７１、フィルタ４１およびフィルタカバー５４が吸込口２２および排水口６５を上方から覆うように陳列室７の底面パネル１０と向かい合っている。さらに、水平位置Ｐ３では、トルクヒンジ７６が商品棚１３ａの床板７１ａ，７２ａの下方に位置されている。
【０１０６】
図１２は、商品棚１３ａの可動棚部７１が起立位置Ｐ４に回動された状態を開示している。起立位置Ｐ４では、可動棚部７１の床板７１ａが固定棚部７２の床板７２ａに対し垂直に起立している。これにより、可動棚部７１が陳列室７の底面パネル１０から遠ざかるように上方に移動し、吸込口２２および排水口６５が陳列室７を介してショーケース本体１Ａの外方に露出された状態に保たれている。
【０１０７】
さらに、可動棚部７１が起立位置Ｐ４に回動された状態では、床板７１ａの係合部７３が下向きとなるように起立し、当該係合部７３の先端が第２のブラケット７８のストッパ部８１に突き当たっている。これにより、可動棚部７１の過度の回動が制限され、可動棚部７１が起立位置Ｐ４に保持されている。
【０１０８】
第２の実施形態において、ショーケース１の使用時間の経過に伴い、例えば蒸発器２４から滴下した結露水が腐敗して排水口６５を覆う目皿６６が汚れた場合、汚れた目皿６６をそのまま放置すると、異臭を放つ一つの要因となる。
【０１０９】
従来のショーケースでは、汚れた排水口あるいは目皿を清掃するに当たっては、商品棚をショーケース本体から取り外し、排水口の回りを陳列室に露出させる作業を強いられている。商品棚は、陳列室の幅方向および奥行方向に延びる重く大きな形状を有するので、商品棚を取り外したり、移動させる作業に多大な手間と労力を要するのを避けられない。
【０１１０】
しかも、商品棚をショーケース本体から取り外すに当たっては、商品棚の上に陳列された商品を予め撤去する必要がある。このため、排水口や目皿を清掃する前の準備作業が面倒となり、排水口の回りを保守・点検する際の作業に時間を要するといった課題がある。
【０１１１】
これに対し、第２の実施形態では、商品棚１３ａが排水口６５の上方に位置する可動棚部７１と、可動棚部７１に連続する固定棚部７２とに分割され、可動棚部７１がトルクヒンジ７６を介して水平位置Ｐ３と起立位置Ｐ４との間で回動可能に固定棚部７２に連結されている。
【０１１２】
このため、排水口６５の回りを清掃するに当たっては、まず可動棚部７１の上に陳列された商品Ｇを撤去した後、可動棚部７１を水平位置Ｐ３から起立位置Ｐ４に向けて回動させる。これにより、図１２に示すように、商品棚１３ａの可動棚部７１が陳列室７の底面パネル１０から遠ざかるように上方に移動し、吸込口２２を通じて排水口６５の回りが陳列室７に露出される。
【０１１３】
この状態で、排水口６５から目皿６６を取り外して清掃したり、排水口６５の汚れを落とす作業を実行する。目皿６６および排水口６５の清掃が完了したら、目皿６６を排水口６５に取り付けた後、起立位置Ｐ４に回動された商品棚１３ａを水平位置Ｐ３に戻す。最後に、先に撤去した商品Ｇを可動棚部７１の床板７１ａの上に並べることで、一連の排水口６５の回りの清掃作業が完了する。
【０１１４】
このような第２の実施形態によれば、商品棚１３ａをショーケース本体１Ａから取り外すことなく排水口６５の回りを清掃することができ、従来との比較において作業性が向上する。
【０１１５】
さらに、商品棚１３ａの固定棚部７２は、そのまま陳列室７に残るので、可動棚部７１を回動させる際には、可動棚部７１の上に置かれた商品Ｇのみを撤去すればよい。このため、商品棚１３ａから撤去する商品Ｇの数を必要最小限に抑えて、排水口６５の回りを清掃する前の準備作業を簡素化することができ、作業時間の短縮に寄与するといった利点がある。
【０１１６】
加えて、本実施形態では、トルクヒンジ７６を用いて商品棚１３ａの可動棚部７１を固定棚部７２に回動可能に連結しているので、可動棚部７１を水平位置Ｐ３、起立位置Ｐ４および水平位置Ｐ３と起立位置Ｐ４との間の任意な位置に保持することができる。このため、起立位置Ｐ４に回動された可動棚部７１から手を離しても、当該可動棚部７１が不意に水平位置Ｐ３に復帰することはなく、この点でも作業性が向上する。
【０１１７】
それとともに、図１１に示すように、可動棚部７１が水平位置Ｐ３に回動された状態では、トルクヒンジ７６は、商品棚１３ａの床板７１ａ，７２ａの下方に位置されている。したがって、トルクヒンジ７６が商品棚１３ａの上に置かれた商品Ｇと干渉するのを回避できるとともに、トルクヒンジ７６の存在によって商品Ｇの陳列スペースが狭められることもない。
[第３の実施形態]
図１３ないし図１５は、第３の実施形態を開示している。第３の実施形態は、商品棚１３ａの可動棚部７１を固定棚部７２に回動可能に連結するための構成が第２の実施形態と相違している。それ以外のショーケース１の構成は、第２の実施形態と同様である。そのため、第３の実施形態において、第２の実施形態と同一の構成部分については同一の参照符号を付して、その説明を省略する。
【０１１８】
図１３および図１５に示すように、商品棚１３ａの可動棚部７１が有する左右の起立部７１ｂ（一方のみを図示）は、固定棚部７２に向けて延長された支持片９１を有している。さらに、左右の起立部７１ｂの内側面にブラケット９２が溶接されている。ブラケット９２は、支持片９１と向かい合うように固定棚部７２に向けて突出されている。支持片９１とブラケット９２との間には、商品棚１３ａの後方、上方および下方に向けて連続して開放された隙間９３が形成されている。
【０１１９】
商品棚１３ａの固定棚部７２が有する左右の起立部７２ｂ（一方のみを図示）の前端部は、支持片９１とブラケット９２との間の隙間９３に挿入されている。起立部７２ｂの前端部、支持片９１およびブラケット９２は、ピボット軸としてのねじ９５で連結されている。ねじ９５は、商品棚１３ａの内側からブラケット９２および起立部７２ｂの前端部を回動可能に貫通するとともに、支持片９１に形成されたバーリング部９６にねじ込まれている。
【０１２０】
このねじ込みにより、起立部７２ｂの前端部が支持片９１とブラケット９２との間で摺動可能に挟み込まれている。したがって、商品棚１３ａの可動棚部７１は、ねじ９５を中心として図１３に示す水平位置Ｐ３と図１４に示す起立位置Ｐ４との間で回動可能となっている。
【０１２１】
第３の実施形態によれば、商品棚１３ａの可動棚部７１を水平位置Ｐ３から起立位置Ｐ４に回動させると、可動棚部７１が陳列室７の底面パネル１０から遠ざかるように上方に移動し、吸込口２２を介して排水口６５の回りが陳列室７に露出される。
【０１２２】
したがって、前記第２の実施形態と同様に、商品棚１３ａをショーケース本体１Ａから取り外すことなく排水口６５の回りを清掃できる。それとともに、清掃時に商品棚１３ａから撤去する商品Ｇの数を必要最小限に抑えることができ、清掃前の準備作業を簡素化することができる。
【０１２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２４】
１Ａ…ショーケース本体、７…陳列室、１３ａ…棚（商品棚）、２２…吸込口、２４…空気熱交換器（蒸発器）、４１…フィルタ、６１…清掃具（清掃ブラシ）、Ｇ…商品。
【図１】
2019124426.tif 000003
【図２】
2019124426.tif 000004
【図３】
2019124426.tif 000005
【図４】
2019124426.tif 000006
【図５】
2019124426.tif 000007
【図６】
2019124426.tif 000008
【図７】
2019124426.tif 000009
【図８】
2019124426.tif 000010
【図９】
2019124426.tif 000011
【図１０】
2019124426.tif 000012
【図１１】
2019124426.tif 000013
【図１２】
2019124426.tif 000014
【図１３】
2019124426.tif 000015
【図１４】
2019124426.tif 000016
【図１５】
2019124426.tif 000017